(57)【要約】【課題】様々な形態を有する寝床に簡単に敷設可能であって、寝床上で寝ている患者の動きをモニタリングすることを可能とする寝床モニタ用シーツ具を提供する。【解決手段】本発明にかかる寝床モニタ用シーツ具は、寝床の上に敷き広げられるカバー６とこのカバー６に面接するクッション材８とを備えており、このカバー６とクッション材８との間に寝床上の人の動きをモニタリングするべく複数の感圧センサ１３を配置し、感圧センサ１３とカバー６との間に感圧センサ１３が寝床に沈み込むことを防止するための支承部材１４を設ける。【選択図】図１
2005204932.tif 000002
【特許請求の範囲】
【請求項１】
寝床の上に敷き広げられるカバー（６）とこのカバー（６）に面接するクッション材（８）とを備えており、前記カバー（６）とクッション材（８）との間には、寝床上の人の動きをモニタリングするべく押圧力に応じて出力が変化する複数の感圧センサ（１３）が配置され、この感圧センサ（１３）とカバー（６）との間には、押圧力が加わった際に感圧センサ（１３）が寝床に沈み込むことを防止するための支承部材（１４）が設けられていることを特徴とする寝床モニタ用シーツ具。
【請求項２】
前記複数の感圧センサ（１３）は寝床全体に分布するように所定の間隔をもって配列され、前記支承部材（１４）は感圧センサ（１３）の配列方向に沿うように設けられていることを特徴とする請求項１に記載の寝床モニタ用シーツ具。
【請求項３】
前記感圧センサ（１３）は、防水機能を有する収納体（１６）に収納された上で、カバー（６）とクッション材（８）との間に配置されることを特徴とする請求項１又は２に記載の寝床モニタ用シーツ具。
【請求項４】
前記感圧センサ（１３）の出力を送出する出力配線（４１）を有し、この出力配線（４１）が寝床の幅方向側方の中央部から寝床外側方に導出されていることを特徴とする請求項１〜３のいずれかに記載の寝床モニタ用シーツ具。
【請求項５】
前記感圧センサ（１３）は加わる押圧力に応じてそのインピーダンスが変化するものであって、当該感圧センサ（１３）が所定の間隔で複数配列され且つ互いに並列に接続されることでセンサユニット（２）が構成されており、このセンサユニット（２）は、寝床全体を縦横の複数のブロックに分割するように配設されていることを特徴とする請求項１〜４のいずれかに記載の寝床モニタ用シーツ具。
【請求項６】
請求項１〜５のいずれかに記載の寝床モニタ用シーツ具（４０）が備える感圧センサ（１３）の出力に基づいて、寝床上の人の動きをモニタリングすることを特徴とする寝床モニタ装置。
【発明の詳細な説明】
【技術分野】
【０００１】
本発明は、ベッド等の寝床上で寝ている人の動きをモニタリングすることを可能とする寝床モニタ用シーツ具と、それを用いた寝床モニタ装置に関するものである。
【背景技術】
【０００２】
病院等で、ベッドに寝ている人（患者）の動きを認識する寝床モニタ装置（ベッドモニタ装置）としては、図１０に示すものがある。
この寝床モニタ装置では、ベッド６０のマットレス６１下に感圧センサ６２を縦横に複数配置し、この各感圧センサ６２を制御部６３にそれぞれ接続し、制御部６３で各感圧センサ６２から取り出した複数の荷重信号（抵抗値）を荷重値に変換し、その荷重値を基に患者の動きを推測するようにしていた（例えば、特許文献１）。
【特許文献１】特開２００１−２５８９５７号公報
【発明の開示】
【発明が解決しようとする課題】
【０００３】
従来の寝床モニタ装置は、各感圧センサをベッドに載置されたマットレスの内部や表面に直接配設するようにしていたため、かかる寝床モニタ装置を簡単に取り外したり、別のベッドに取り付けたりすることができず、モニタリングしたい患者を必ず所定のベッドに就寝させる必要が生じていた。
しかしながら、多くの患者が入院している病院においては、他の患者との関係や治療状況によって、患者が他のベッドに移ることはよくあることであり、患者を常に決まったベッドに寝かせることは困難であった。
【０００４】
また、在宅看護で自宅にいる患者の動きをモニタリングしたいと考えた場合、特許文献１に記載された寝床モニタ装置を自宅のベッドや布団に採用することは、設置工事が大がかりとなる上にコストが嵩むものとなっていた。
そこで、本発明は、上記問題点に鑑み、様々な形態を有する寝床（ベッドや布団）に簡単に敷設可能であって、寝床上で寝ている患者の動きをモニタリングすることを可能とする寝床モニタ用シーツ具とそれを用いた寝床モニタ装置を提供することを目的とする。
【課題を解決するための手段】
【０００５】
前記目的を達成するため、本発明においては以下の技術的手段を講じた。
すなわち、本発明における課題解決のための技術的手段は、寝床の上に敷き広げられるカバーとこのカバーに面接するクッション材とを備えており、前記カバーとクッション材との間には、寝床上の人の動きをモニタリングするべく押圧力に応じて出力が変化する複数の感圧センサが配置され、この感圧センサとカバーとの間には、押圧力が加わった際に感圧センサが寝床に沈み込むことを防止するための支承部材が設けられていることを特徴とする。
【０００６】
この技術的手段によれば、寝床モニタ用シーツ具は、寝床に固定されるものではなく寝床から取り外し自在であると共に、様々な形態を有する寝床（ベッドや布団）に簡単に敷設可能であり、前記感圧センサの出力により、寝床上の人の動きをモニタリング可能となる。感圧センサは支承部材により寝床側に沈み込むことが防止され、且つマットレスのクッション性により感圧センサの感度が不安定にならないようになっているため、マットレスの硬さに左右されず押圧力を確実に検知可能となっている。
また、本発明における課題解決のための技術的手段は、前記複数の感圧センサは寝床全体に分布するように所定の間隔をもって配列され、前記支承部材は感圧センサの配列方向に沿うように設けられていることを特徴とする。
【０００７】
この技術的手段によれば、感圧センサが所定間隔で寝床全体に分布するように設けられているため、寝床全体における患者の動きを正確に検出することができる。さらに、通気性のあるクッション材を感圧センサや配線の上に設けているので、シーツ具上に寝ている人に違和感を感じさせるようなことは無い。
また、本発明における課題解決のための技術的手段は、前記感圧センサは、防水機能を有する収納体に収納された上で、寝床カバーとクッション材との間に配置されることを特徴とする。
【０００８】
この技術的手段によれば、シーツ具上に寝ている人から出る汗等により、感圧センサが誤作動したり劣化したりすることを防ぐことができるようになる。
また、本発明における課題解決のための技術的手段は、前記感圧センサの出力を送出する出力配線を有し、この出力配線が寝床の幅方向側方の中央部から寝床外側方に導出されていることを特徴とする。
この技術的手段によれば、出力配線を介して感圧センサの出力を寝床外側方に送出することができるようになる。さらに、この出力配線がベッド等の寝床の前部側（人の頭部側）や後部側（人の下肢部側）に設けられていないため、ベッドのリクライニング動作（前部や後部が持ち上がること）に対応可能なように出力配線を長くしておく必要性がなくなる。
【０００９】
また、本発明における課題解決のための技術的手段は、前記感圧センサは加わる押圧力に応じてそのインピーダンスが変化するものであって、当該感圧センサが所定の間隔で複数配列され且つ互いに並列に接続されることでセンサユニットが構成されており、このセンサユニットは、寝床全体を縦横の複数のブロックに分割するように配設されていることを特徴とする。
この技術的手段によれば、感圧センサを並列接続して構成され且つ寝床を複数のブロックに分割するように配設されたセンサユニットの出力により、患者の体位変化のような大きな動きを検出することが可能である。さらに、当該感圧センサは、抵抗値や静電容量等のインピーダンスが変化するものであり、機械的なものとなっておらず、小型化を図ることが可能である。
【００１０】
また、本発明における課題解決のための技術的手段は、前述の技術的手段のいずれかに記載された寝床モニタ用シーツ具が備える感圧センサの出力に基づいて、寝床上の人の動きをモニタリングする寝床モニタ装置を有することである。
この技術的手段によれば、寝床モニタ装置を用いることで、感圧センサの出力に基づいて寝床上の人の動きを検出し認識することが可能となる。
【発明の効果】
【００１１】
本発明にかかる寝床モニタ用シーツは様々な形態を有する寝床（ベッドや布団）に簡単に敷設可能であって、この寝床モニタ用シーツ具を用いることで寝床上で寝ている患者の動きを感圧センサの出力として送出可能となる。また、寝床モニタ装置を用いることで、前記感圧センサの出力に基づいて寝床上の人の動きをモニタリングすることが可能となる。
【発明を実施するための最良の形態】
【００１２】
以下、本発明の実施の形態を図面に基づいて説明する。
病院や老人介護施設においては、多くの場合、患者・入居者はベッドに就寝するような生活スタイルをとっており、使用されるベッドは、図２に示すように、平面視で略長方形状に形成された架台４と、この架台４の上に敷かれたマットレス５とを有しているものとなっている。マットレス５の上面に、本発明にかかる寝床モニタ用シーツ具４０が敷き広げられ、その上に人Ｍが横たわるようになっている。
なお、以下、寝床モニタ用シーツ具４０を単にシーツ具と呼ぶ。また、病院内を想定し、寝床としてはベッド３、シーツ具４０上に横たわる人Ｍを患者と呼ぶ。
【００１３】
図７における左右方向を、シーツ具４０（ベッド３又はマットレス５）の長手方向、図７の上下方向をシーツ具４０（ベッド３又はマットレス５）の幅方向と呼ぶ。
図１、図２のように、シーツ具４０は、寝床であるマットレス５の上に敷き広げられるカバー６と、このカバー６に面接するクッション材８とを備えており、前記カバー６とクッション材８との間には、マットレス５上の患者Ｍの動きをモニタリングするべく押圧力に応じて出力が変化する複数の感圧センサ１３が、マットレス５全体に分布するように所定の間隔をもって配列されている。
【００１４】
詳しくは、前記シーツ具４０は、マットレス５の上面全体を覆うカバー６を有しており、このカバー６の上に、後述するセンサユニット２がマットレス５全体を縦横の複数のブロックに分割するように配設されている。このセンサユニット２は、複数の感圧センサ１３を備えることでマットレス５上の患者Ｍの動きをモニタリング可能とするものであり、その上面には雄の面ファスナ（硬い面ファスナ）１７が設けられている。
センサユニット２が配設されたカバー６の上には、ウレタンや不織布等のクッション材８が面接するように設けられており、換言すれば、センサユニット２はカバー６とクッション材８とで挟み込まれるように配設されるものとなっている。
【００１５】
このクッション材８の下面には、雌の面ファスナとなる取付シート７が両面熱融着テープ等を介して貼り付けられており、この取付シート７に着脱自在に前記雄の面ファスナ１７が接着可能であり、センサユニット２は取付シート７すなわちクッション材８に取りついて位置固定されるようになっている。同様に、出力配線２２上面に点在するように設けられた雄の面ファスナ１７が取付シート７に取り付くことで、出力配線２２も位置固定される。
前記クッション材８の上には、クッション材８より若干幅広に形成された防水布９が敷き広げられ、防水布９の縁が前記カバー６の下側に折り込まれるようになっている。
【００１６】
このように、カバー６、センサユニット２、取付シート７、クッション材８、および、これらを包むように設けられた防水布９からシーツ具４０は構成されており、マットレス５上面よりもやや小さめ又は同じ大きさで平面視長方形状となっている。シーツ１１は、シーツ具４０とマットレス５とを包み込むように設けられている。なお、シーツ具４０の上にベッドパッドを敷いた上で、シーツ１１を敷くようにしてもよい。
図１、図６、図７に示す如く、前記センサユニット２は、マットレス５上を複数のブロックに区画するべく、シーツ具４０内に複数個分割配置されている。
【００１７】
詳しくは、マットレス５の幅方向（横方向）に４個のセンサユニット２が配置されると共に、幅方向に配置した４個のセンサユニット群がマットレス５の長さ方向（縦方向）に４行配置されており、全体で１６個のセンサユニット２がシーツ具４０に設けられている。これら複数のセンサユニット２は同一の大きさ（面積）であり、センサユニット２の幅方向の配置間隔は略一定であると共に、センサユニット２の長さ方向の配置間隔も略一定である。
さらに、クッション材８の長手方向を略４分割するように、幅方向を向く切れ込み５１，５２，５３をクッション材８に形成しておくことで、当該クッション材８を各切れ込み５１，５２，５３を山谷として蛇腹状に折り畳むことができる。
【００１８】
前記センサユニット２は、感圧センサ１３が所定の間隔で複数配列され且つ互いに並列に接続されることで構成されており、図１、図３、図４に示すように、複数の感圧センサ１３と、これら感圧センサ１３が取り付けられる基板１５と、可撓性を有する支持板１４と、収納体１６と、雄の面ファスナ（取付具）１７とを有するものとなっている。
前記感圧センサ１３は、例えば、プラスチックフィルム等の基材の上に、導電性インクをスクリーン印刷にて印刷して接点を形成し、この接点を上下対向にスペーサを介して配置したものや、導電性ゴムと２極の電極を貼り合わせたものが採用できる。
【００１９】
感圧センサ１３は、その接点上面に加わる圧力に応じて連続的に抵抗値（インピーダンス値）が変化するものであり、図５に示すように、感圧センサ１３に荷重が加えられていない場合には、その抵抗値は大きく、感圧センサ１３に荷重が加えられるほどその抵抗値が減少するようになっている。
このような感圧センサ１３が１つのセンサユニット２内には複数（８個）、その全域に亘って略均等に分布するように設けられており、それぞれがシート状に形成された可撓性を有するシート基板１５に連結され、このシート基板１５上のプリント配線により各感圧センサ１３は互いに並列接続されている。
【００２０】
詳しくは、１つのシート基板１５上には、感圧センサ１３がシート基板１５の長手方向に一定の間隔Ｌをおいて４個設けられており、１つのユニットセンサ２には、２列のシート基板が略平行なるように対向配置されている。このとき、対向する感圧センサの間隔も略Ｌとなるようにすることが好ましい。
シート基板１５上には、長手方向に延びる２本の配線２０ａ，２０ｂがプリントされており、感圧センサ１３からは２本のリード線２１ａ，２１ｂが導出されており、感圧センサ１３の一方のリード線２１ａは基板１５の一方の配線２０ａに接続され、他方のリード線２１ｂは基板１５の他方の配線２０ｂに接続されている。
【００２１】
２列になっているシート基板１５の配線２０ａ同士及び配線２０ｂ同士は、接続線１９を介して互いに接続されている。
前記シート基板１５及びそれに接続する４つの感圧センサ１３の下面側には、押圧力が加わった際に感圧センサ１３がマットレス５に沈み込むことを防止するための支持板１４（支承部材）が設けられており、この支持板１４は感圧センサ１３の配列方向に沿うように配置されている。
支持板１４は、例えば変形やソリがつきにくく且つ割れにくいポリカ−ボネート樹脂で成形された長方形板であり、１つのシート基板１５とそれに取り付けられている４つの感圧センサ１３を載置可能な面積を有するものである。各支持板１４の厚みは０．５ｍｍ程度に設定されて撓み可能となっている。
【００２２】
この支持板１４は感圧センサ１３より広い面積を有しているため、マットレス５が柔らかすぎる場合でも、感圧センサ１３がマットレス５に沈み込むことを防止でき、感圧センサ１３は確実に反応するようになる。
前記感圧センサ１３とその下面に配置された支持板１４とは、ポリエチレンシート等で形成された防水性を有する収納体１６内に収納されるようになっている。
すなわち、収納体１６は平面視で長方形状の上シート１６ａと下シート１６ｂとを有しており、上シート１６ａの周縁と下シート１６ｂの周縁とを溶着することによって、袋状に形成され、その内部に感圧センサ１３、シート基板１５、支持板１４等が納められるようになっている。この収納体１６の外側上面の四隅及び長手方向略中間部の幅方向両端には、前述した面ファスナ１７が設けられている。
【００２３】
収納体１６内の中央部には、上シート１６ａと下シート１６ｂとを接着する両面テープ１８が設けられており、これにより、支持板１４が収納体内を不用意に移動したりすることを防ぐようにしている。
図３に示されるように、各センサユニット２からは、センサユニット２の出力抵抗値Ｒを出力する２本のユニット出力配線２２が導出されている。このユニット出力配線２２は、収納体１６の前端部に設けられた配線用孔２３を介して、収納体１６の内部から外部に配線可能となっている。この配線用孔２３は防水性を有する接着剤で塞がれており、これによって、収納体１６は封止されて、収納体１６内に水滴等の液体等が入らないようにしている。
【００２４】
この２本のユニット出力配線２２，２２に電圧をかけることで、抵抗値に対応する電流が流れ、かかる電流電圧から、センサユニット２の出力抵抗値Ｒを算出することができて、それを基に、センサユニット２に加わる押圧力を算出する。
上述の構成を有するセンサユニット２は、１６個の感圧センサ１３が並列接続されているため、その出力値（出力抵抗値）Ｒは、各感圧センサの抵抗値をｒ１，ｒ２，ｒ３・・・ｒ８とすると、次式で計算できる。
１／Ｒ＝１／ｒ１＋１／ｒ２＋１／ｒ３＋・・・＋１／ｒ８
したがって、単位面積当たりの押圧力が一定でセンサユニット２を押す押圧面積が大きいと、センサユニット２の出力抵抗値Ｒは小さく、逆に押圧面積が小さいと、センサユニット２から取り出される出力抵抗値Ｒは大きくなると共にその変化量も大きいものとなる（センサユニットの感度がよいものとなる）。すなわち、このセンサユニット２は、一定押圧力の場合、押圧面積に応じてセンサユニット２の出力抵抗値Ｒが増減する特性を有するものとなっている。
【００２５】
また、センサユニット２を押す押圧面積が一定の場合、押圧力が大きいと出力抵抗値Ｒは小さくなり、逆に押圧力が小さいと、出力抵抗値Ｒは大きく、その変化量も大きいものとなる。つまり、当該センサユニット２は、一定面積を押圧した場合、その押圧力の大小に応じて出力抵抗値Ｒが増減する特性を有するものとなっている。
前記センサユニット２は、シーツ具４０の内部に均等に配設されており、各センサユニット２からはユニット出力配線２２が導出するものとなっている。
各ユニット出力配線２２は、カバー６とクッション材８とで挟まれつつ、各センサユニット２の間やクッション材８の縁端部を通りながら、フラットケーブル状の出力配線４１にまとまり、シーツ具４０の幅方向側方で且つ長手方向中央部から外側へ導き出されるようになっている。なお、各出力配線２２には、ところどころに雄の面ファスナ１７が取り付けられており、センサユニット２と共に取り付けシート７に固定されている。防水布９とカバー６とは取り外し可能であり洗濯できるものとなっている。
【００２６】
この出力配線４１は後述する電圧変換部２８に接続可能となっている。
図９に示すように、シーツ具４０の幅方向側方で且つ長手方向中央部において、防水布９には開口部４２が形成されており、この開口部４２を介して前記出力配線４１が外側に引き出されるようになっている。
さらに、この開口部４２には、開口部４２を上方から覆う第１布部材４３（覆い部材）が垂れ下がるように設けられ、さらに、第１布部材４３を上方から覆う第２布部材４４（第２覆い部材）が設けられている。詳しくは、防水布９の端部に幅方向２カ所の切り欠きを入れることで、第２布部材４４を形成し、その部分の裏側より、防水布９と同一素材の矩形布４５を防水布９に両面熱融着テープで取り付けるようにする。この矩形布４５の略中央にはコ字状に切れ込みを入れることで、第１布部材４３と開口部４２が形成されるようになっている。
【００２７】
このように、出力配線４１が外へ引き出される開口部４２が、複数の覆い部材４３，４４でカバーされることで、シーツ具４０上に寝ている患者Ｍが、万が一飲み物をこぼしたり、失禁したりした際であっても、水分がこの開口部４２を通じてシーツ具４０内に浸入することを防ぐことが可能となる。
また、この出力配線４１がマットレス５の前側部（患者Ｍの頭部側）や後部側（患者Ｍの下肢部側）に設けられていないため、ベッド３のリクライニング動作（頭部を支えるベッド部位等のジャッキアップ）に対応可能なように出力配線４１自体を長くしておく必要性がなくなる。なお、出力配線４１が邪魔にならないように、シーツ１１と共に出力配線４１をマットレス５の裏側に折り込んでおくようにすることは好ましい。
【００２８】
以上述べた寝床モニタ用シーツ具４０は、患者Ｍの動きを認識するために、複数の感圧センサ１３を互いに接続してユニット化し、且つ、ユニット化したセンサユニット２でマットレス５を縦横に区画するようにし、センサユニット２のその出力を取り出すようにしているので、マットレス５全体に対してユニット出力配線２２の本数を少なくでき、その結果、配線構造を簡単にすることができる。
また、出力されたデータの処理においては、ユニット化したセンサユニット２の出力を処理するだけでよく、各感圧センサ１３から得られる出力をすべて処理する必要がないので、出力の処理が行いやすいものとなっている。
【００２９】
次に、寝床モニタ用シーツ具４０が備える感圧センサ１３の出力を利用して、マットレス５上の患者Ｍの動きをモニタリング可能とする寝床モニタ装置１について説明する。
図６に示すように、寝床モニタ装置１は、寝床モニタ用シーツ具４０と、前記シーツ具４０内に備えられたセンサユニット２から取り出された出力（抵抗）を電圧に変換する電圧変換部２８と、電圧変換部２８で変換された電圧をＡ／Ｄ変換するＡ／Ｄ変換部２９と、制御部３１（パソコン）、表示部３２（モニタ）とを有する。
シーツ具４０は、図６、図７に示すように、ベッド３上面全体に敷き広げられ、複数のセンサユニット２がマットレス５を複数のブロックに区画している。
【００３０】
なお、前述の如く、感圧センサは１つのセンサユニット２内において一定間隔Ｌで配置されているが、隣り合うセンサユニット２，２間においても、感圧センサ１３の幅方向の間隔が一定間隔Ｌとなるように、複数のセンサユニット２を配置することは非常に好ましい。こうすることで、シーツ具４０上全面において、感圧センサ１３は碁盤の目状に配置されることになる。
複数のセンサユニット２には、図６に示すようにそれぞれチャンネル番号が０番〜１５番（ｃｈ０〜１５）まで割り当てられており、これによって、各センサユニット２がマットレス部１０のどのブロック（部分）に対応しているか分かるようになっている。
【００３１】
患者Ｍがシーツ具４０上に寝た状態で、ｃｈ０〜３までの４個のセンサユニット２は、患者Ｍの頭部及び胸部に対応し、ｃｈ４〜７の４個のセンサユニット２は、患者Ｍの胸部及び腰部に対応し、ｃｈ８〜１１の４個のセンサユニット２は、患者Ｍの大腿部に対応し、ｃｈ１２〜１５の４個のセンサユニット２は、患者Ｍの下腿部に対応している。
したがって、ｃｈ０〜７の８個のセンサユニット２は、患者Ｍの上半身に対応し、ｃｈ８〜１５の８個のセンサユニット２は患者Ｍの下半身に対応するようになる。
これら各センサユニット２から出るユニット出力配線２２は、出力配線４１にまとめられた上で、電圧変換部２８に接続している。この電圧変換部２８は、各センサユニット２の出力抵抗値Ｒを抵抗分圧回路等により電圧変換するものである。
【００３２】
例えば、図８のように１つのセンサユニット（１ブロック）に作用する押圧力が大きいと、それに対応するセンサユニット２から出力される抵抗が小さくなり、電圧変換部２８で出力される電圧は大きくなる、逆にブロックに作用する押圧力が小さいと、それに対応するセンサユニット２から出力される抵抗が大きくなり、電圧変換部２８で出力される電圧は小さくなるようになっている。
電圧変換部２８の出力する電圧、すなわちセンサユニット２に加えられた押圧力に対応する電圧は、Ａ／Ｄ変換部２９に送られて１０ビット（０〜１０２３）のデジタル信号に変換され、パソコン３１に送信されるようになっている。かかるＡ／Ｄ変換部２９では、電圧変換部２８の出力信号（電圧）を、電圧が高いほど数値が大きくなるように設定している。
【００３３】
パソコン３１は、Ａ／Ｄ変換部２９から入力されたデジタル信号を基に、シーツ具４０上に寝ている患者Ｍがどのような体位をとっているかを判定（推測）したり、各ブロックに作用している押圧力をモニタ３２を介して表示可能となっている。これにより、例えば、当該シーツ具４０が敷かれたベッド３とは別の部屋（例えば、ナースステーション）に設置されたパソコン３１をモニタすることにより、ベッド３上に居る患者Ｍの状態を遠隔で推定し且つ認識することができる。当該シーツ具４０に備えられた感圧センサ１３の数は多く、患者の体位変化をきめ細かくデータとして活用できる反面、センサユニット２自体の数が少ないので、細かな体の動きを検出せず、プライバシーを保護することができるものとなっている。
【００３４】
なお、このパソコン３１に接続されたモニタ３２において、各センサユニット２に加わる押圧力をカラー表示するようにすることは非常に好ましく、このカラー表示を見ることにより、看護師などが視覚的に患者Ｍの体位を推定・判断できるものとなる。
本実施形態にかかる寝床モニタ用シーツ具４０は、上記実施の形態に限定されるものではない。
すなわち、感圧センサ１３は押圧力に応じて抵抗値が変化するものであったが、静電容量やインダクタンスが変化するものであってもよく、押圧力に応じて電圧又は電流を直接出力するものであってもよい。
【００３５】
また、寝床はベッド３を例示して説明したが、それに限定されず、床等に敷いた布団であってもよい。床上に直接当該シーツ具４０を敷き広げるようにしても何ら問題はない。寝床モニタ用シーツ具４０の設置場所も病院や介護施設内に限定されず、一般の家庭内であってもよい。
また、センサユニット２に設けた複数の各感圧センサ１３は並列接続されるものであったが、直列に接続するようにしてもよい。
また、１６個のセンサユニット２でマットレス全体を縦４分割、横４分割の計１６分割していたが、分割の方式は何ら限定されるものではなく、例えば、１５個のセンサユニット２でマットレス全体を縦５分割、横３分割の１５分割にしてもよく、センサユニット２の大きさ（面積）は異なるようにしても何ら問題はない。比較的小規模の運動が予想される頭部に幅狭のセンサユニットを複数設けるようにしてもよい。
【図面の簡単な説明】
【００３６】
【図１】本発明にかかる寝床モニタ用シーツ具の分解斜視図である。
【図２】本発明にかかる寝床モニタ用シーツ具の分解正面図である。
【図３】センサユニットの平面図である。
【図４】寝床モニタ用シーツ具の拡大断面正面図である。
【図５】感圧センサの出力特性図である。
【図６】寝床モニタ装置の全体構成を示すブロック図である。
【図７】センサユニットの配置とその上に寝る患者との対応を示した図である。
【図８】センサユニットからの出力電圧を示した図である。
【図９】寝床モニタ用シーツ具から出力配線が導出されている部位の拡大斜視図である。
【図１０】従来例を示す斜視図である。
【符号の説明】
【００３７】
１    寝床モニタ装置
２    センサユニット
６    カバー
８    クッション材
１３  感圧センサ
１４  支承部材（支持板）
１６  収納体
４１  出力配線
【図２】
2005204932.tif 000003
【図３】
2005204932.tif 000004
【図４】
2005204932.tif 000005
【図５】
2005204932.tif 000006
【図６】
2005204932.tif 000007
【図７】
2005204932.tif 000008
【図８】
2005204932.tif 000009
【図９】
2005204932.tif 000010
【図１０】
2005204932.tif 000011
【図１】
2005204932.tif 000012